(57)【要約】【課題】摩擦部材９をカバー１４で被覆することで、摩擦部材９に触れることなくカバー１４を押動しての操作が可能となり、紙面等に接触する摩擦部材９が汚れることを防止できる熱変色性ボールペン１を得る。【解決手段】ノック体１０が、固定カム１２の後方に配した摩擦部材９を被覆可能なカバー１４を有し、カバー１４を固定カム１２に嵌着させた状態で、カバー１４の下部と固定カム１２に形成した段部とが当接し、カバー１４を押動することにより、カバー１４で固定カム１２を前進させ、ボールペンチップ６を軸筒４の前端孔４ｂより突出させる。【選択図】図１
2018161899.tif 000002
【特許請求の範囲】
【請求項１】
軸筒の後端開口から突出する弾性材料からなる摩擦部材を有したノック体を操作することにより、前記軸筒内に配設した固定カムを前進させると共に当該軸筒内に配設した回転カムを回動させ、前記軸筒の内部に収容したレフィルのボールペンチップが該軸筒の前端孔より突出した状態となる熱変色性ボールペンであって、
前記ノック体が、前記固定カムの後方に配した前記摩擦部材を被覆可能なカバーを有し、
前記カバーを前記固定カムに嵌着させた状態で、前記カバーの下部と前記固定カムに形成した段部とが当接し、
前記カバーを押動することにより、前記カバーで前記固定カムを前進させ、前記ボールペンチップを前記軸筒の前端孔より突出させることを特徴とした熱変色性ボールペン。
【請求項２】
前記カバーが透明な硬質樹脂で形成される請求項１に記載の熱変色性ボールペン。
【発明の詳細な説明】
【技術分野】
【０００１】
本発明は、熱変色性筆記具に関し、詳細には、軸筒の後端開口から突出する弾性材料からなる摩擦部材を有したノック体を操作することにより、軸筒内に配設した固定カムを前進させると共に当該軸筒内に配設した回転カムを回動させ、軸筒の内部に収容した筆記体のペン先が該軸筒の前端孔より突出した状態となる熱変色性筆記具に関する。
【背景技術】
【０００２】
特許文献１および特許文献２には、ペン先から熱変色性インキを吐出可能な筆記体を、軸筒内に前後方向へ移動可能に収容させ、軸筒後方のノック体を前方へ押動することにより、軸筒内に配設したコイルスプリングの弾発力に抗して、筆記体のペン先を軸筒の前端孔から突出させる熱変色性筆記具が開示されている。
特許文献１の熱変色性筆記具では、ノック体を弾性材料から一体で形成して外面に摩擦部を形成しており、特許文献２の熱変色性筆記具では、ノック体の外面に弾性材料からなる摩擦部を外皮として形成している。特許文献１および特許文献２の熱変色性筆記具は、弾性材料からなるノック体の摩擦部で熱変色性インキにより紙面等に形成された筆跡を摩擦して、その際に生じる摩擦熱により前記熱変色性インキの筆跡を熱変色させるものである。
このようなことから、ノック体に摩擦部を設けた熱変色性筆記具においては、摩擦を行いやすくするために、ノック体に設けた摩擦部が摩擦時に変形したり揺れ動かないようにすることが求められている。
【先行技術文献】
【特許文献】
【０００３】
【特許文献１】特開２０１１−１５６８２６号公報
【特許文献２】特開２０１１−２３０４７４号公報
【発明の概要】
【発明が解決しようとする課題】
【０００４】
本発明では、ノック体に設けた弾性材料からなる摩擦部材が、摩擦時に変形したり揺れ動き難い構造の熱変色性筆記具を得ることを目的とした。
【課題を解決するための手段】
【０００５】
本発明は、
「１．軸筒の後端開口から突出する弾性材料からなる摩擦部材を有したノック体を操作することにより、前記軸筒内に配設した固定カムを前進させると共に当該軸筒内に配設した回転カムを回動させ、前記軸筒の内部に収容した筆記体のペン先が該軸筒の前端孔より突出した状態となる熱変色性筆記具であって、前記回転カムに前記固定カムの開口部を貫通する突出部を形成し、前記固定カムに前記軸筒の後端開口より突出する筒部を形成し、前記摩擦部材に下方が開口する孔部と前記固定カムの筒部に形成した係止部に係止する係止受部とを設け、前記摩擦部材の前方を前記固定カムの筒部に挿通させ、前記固定カムの係止部を該摩擦部材の係止受部へ係止させると共に、前記回転カムの突出部を前記摩擦部材の孔部へ挿通させることを特徴とした熱変色性筆記具。
２．前記回転カムの突出部と前記摩擦部材の孔部との間に隙間を形成することを特徴とした前記１項に記載の熱変色性筆記具。
３．前記ノック体が、前記摩擦部材を被覆可能なカバーを有し、前記カバーの下部を前記固定カムの上部に嵌着させた状態で、前記カバーの下部と前記固定カムに形成した段部とが当接することを特徴とした前記１項または２項に記載の熱変色性筆記具。」である。
【０００６】
摩擦部材を成形する弾性材料は、弾性を有する樹脂（ゴム、エラストマー）が挙げられ、例えば、シリコーン樹脂、ＳＢＳ樹脂（スチレン−ブタジエン−スチレン共重合体）、ＳＥＢＳ樹脂（スチレン−エチレン−ブタジエン−スチレン共重合体）、フッ素系樹脂、クロロプレン樹脂、ニトリル樹脂、ポリエステル系樹脂、エチレンプロピレンジエンゴム（ＥＰＤＭ）等が挙げられる。尚、前記摩擦部材を成形する弾性材料は、高摩耗性の弾性材料（例えば、消しゴム等）よりも、摩擦時に消しカスが生じない低摩耗性の弾性材料が好ましい。また、固定カムと回転カムは弾性材で形成された摩擦部材を支持させるために、硬質樹脂や金属など硬質材料で形成すればよい。
【０００７】
固定カムの筒部に形成する係止部と摩擦部材に形成する係止受部との関係は、例えば固定カムの筒部の内側面に係止凸部または係止凹部を形成し、摩擦部材の外側面に前記係止凸部と係止する係止凹部または係止凸部を形成して互いを係止させることで得ることができ、あるいは固定カムの筒部の内側面に雌螺子部を形成し、摩擦部材の外側面に雄螺子部を形成して互いを螺合することでも得ることができる。
【発明の効果】
【０００８】
本発明の熱変色性筆記具によれば、ノック体に設けた摩擦部材の外側面が軸筒の後端開口から突出する固定カムに形成した筒部で支持され、且つ摩擦部材の孔部が回転カムに形成した突出部で支持されるので、摩擦時において摩擦部材が変形したり揺れ動くことを防止することができる。
さらに回転カムの突出部と摩擦部材の孔部との間に隙間を形成することで、ノック体の操作時において、回動しない摩擦部材の孔部内で回動する回転カムの突出部の動きが妨げられることがないので、回転カムを滑らかに回動させることができる。
さらに摩擦部材をカバーで被覆することで、摩擦部材に触れることなくカバーを押動しての操作が可能となり、紙面等に接触する摩擦部材が汚れることを防止できる。
【図面の簡単な説明】
【０００９】
【図１】本実施例のボールペンにおける筆記体のペン先を軸筒の内部に収容した状態を示した断面図である。
【図２】本実施例のボールペンにおける筆記体のペン先を軸筒の前端開口より突出させた状態を示した断面図である。
【図３】本実施例のボールペンの要部を示した分解図である。
【図４】本実施例のボールペンで筆記を行っている状態を示した斜視図である。
【図５】本実施例のボールペンからカバーを外した状態を示す断面図である。
【図６】本実施例のボールペンで摩擦を行っている状態を示した斜視図である。
【発明を実施するための形態】
【００１０】
次に図面を参照しながら、本実施例の熱変色性筆記具について説明を行う。尚、本実施例では、熱変色性筆記具としてボールペンについての説明を行うが、本発明は以下の実施例に限定されるものではない。また、図中の同じ部材、同じ部品については、同じ符号としてある。図中においてペン先がある側を前方とし反対側を後方として表現する。
【実施例】
【００１１】
図１〜図３を用いて、本実施例のボールペン構造について説明を行う。
図１は本実施例のボールペンにおける筆記体のペン先を軸筒の内部に収容した状態を示した断面図である。図２は本実施例のボールペンにおける筆記体のペン先を軸筒の前端開口より突出させた状態を示した断面図である。図３は本実施例のボールペンの要部を示した分解図である。
ボールペン１は、前軸２と後軸３とを螺合して形成した軸筒４内に、レフィル５を収容してある。レフィル５は、ボールペンチップをペン先６とし、ペン先６の後方にインキ収容筒７を装着してあり、軸筒４内に配したコイルスプリング８にて後方へ弾発され、軸筒４の後端開口４ａから突出した摩擦部材９を有したノック体１０を前方へ押動するように操作することによって、軸筒４の前端開口４ｂからペン先６を出没させることができる構造である。
【００１２】
軸筒４の内部には、従来構造の回転カム機構が設けられており、後軸３の後端部３ａの内壁面には複数のカム溝１１を形成してあり、前方に山型状の凹凸部１２ａを形成し、外周面に前記カム溝１１に係合する複数の突起１２ｂを有した固定カム１２を配設し、固定カム１２の前方に、前記カム溝１１に係合する複数のカム突起１３ａを外周面に周状に形成し、前記固定カム部１２の凹凸部１２ａに噛合う噛合部１３ｂを有した回転カム１３を配設してあり、カム突起１３ａはカム溝１１に係止して回転カム１３はカム溝１１に沿って前後に移動可能としてある。
また回転カム１３の後方には、固定カム１２の開口部１２ｃを貫通する突出部１３ｃを形成してあり、固定カム１２の後方には、軸筒４の後端開口４ａから突出する筒部１２ｄを形成してある。本実施例の突出部１３ｃは、下方の大径部１３１ｃと上方の小径部１３２ｃとで構成してある。
【００１３】
本実施例のボールペン１は、図１に示した状態のノック体１０を前方へ押動するように操作することで、固定カム１２の前進に伴い回転カム１３のカム突起１３ａがカム溝１１の前端に移動し、固定カム１２の凹凸部１２ａの傾斜により回転カム１３のカム突起１３ａのカム斜面１３ｄがカム溝１１のカム斜面１１ａを滑り、レフィル５を介してコイルスプリング８で後方へ弾発された回転カム１３のカム突起１３ａが複数のカム溝１１間に形成された係合部１１ｂに係合して、ペン先６を軸筒４の前端開口４ｂから突出させた状態で維持することができ、図２に示した状態のノック体１０を再度前方へ押動するように操作することで、回転カム１３のカム突起１３ａとカム溝１１間の係合部１１ｂの係合状態を解除して、回転カム１３のカム突起１３ａと固定カム１２の突起１２ｂをカム溝１１の後方へ後退させ、図１に示した状態のようにペン先６を軸筒４の内部に収容させることができる。
【００１４】
また摩擦部材９は、下方の外側面９ａに係止凹部９ｂを形成し、下方が開口する孔部９ｃを形成し、摩擦部材９の係止凹部９ｂに対して固定カム１２の内方に突設した係止凸部１２ｅを係止させ、摩擦部材９の孔部９ｃに対して回転カム１３に形成した突出部１３ｃの小径部１３２ｃを挿通させている。
またノック体１０は、摩擦部材９をカバー１４で被覆しており、カバー１４を固定カム１２の筒部１２ｄに嵌着させた状態で、カバー１４の下部１４ａと固定カム１２に形成した段部１２ｆとが当接するので、ノック体１０の一部であるカバー１４を押動することで固定カム１４を前進させることができる構造としてある。
【００１５】
カバー１４は透明な硬質樹脂で形成しており、摩擦部材９は半透明な弾性樹脂で成形しており、カバー１４を透して回転カム１３に形成した突出部１３ｃの小径部１３２ｃを見ることができ、小径部１３２ｃをインキ収容筒７内に収容したインキ色と同じ色としたことから、小径部１３２ｃの色にてボールペン１の筆記色を確認することができ便利である。  尚、本実施例のボールペン１は、ノック体１０を操作してペン先６を軸筒４の前端開口４ｂから突出させた状態においても、回転カム１３に形成した突出部１３ｃの小径部１３２ｃが軸筒４の後端開口４ａから突出した状態になるので（図２参照）、小径部１３２ｃの色で筆記色を確認することができた。
図４に示すように、本実施例のボールペン１は、軸筒４の前端開口４ｂから突出させたペン先６で紙面１００に熱変色性インキの筆跡１０１を形成することができた。
【００１６】
次に、図５および図６を用いて、本実施例のボールペンで摩擦を行う状態についての説明を行う。図５は本実施例のボールペンからカバーを外した状態を示す断面図である。図５に示すように本実施例のボールペンは、摩擦部材９の外側面９ａが固定カム１４に形成した筒部１２ｄで支持され、且つ摩擦部材９の孔部９ｃが回転カム１３に形成した突出部１３ｃの小径部１３２ｃで支持されるので、図６に示した摩擦部材９による摩擦時においても、摩擦部材９が変形したり揺れ動くことを防止することができた。
【００１７】
また本実施例では、回転カム１３に形成した突出部１３ｃの小径部１３２ｃと摩擦部材９の孔部９ｂとの間に隙間Ｓを形成することで、ノック体の操作時において、回動しない摩擦部材９の孔部９ｂ内で回動する回転カム１３に形成した突出部１３ｃの小径部１３２ｃの動きが妨げられることがなく、回転カム１３が滑らかに回動することができた。
さらに、摩擦部材９にカバー１４を被覆したことで、摩擦部材９に触れることなくカバー１４を押動する操作が可能となり、摩擦時において紙面１００に接触する摩擦部材９の汚れを防止することができた。
【符号の説明】
【００１８】
１…ボールペン、２…前軸、
３…後軸、３ａ…後端部、
４…軸筒、４ａ…後端開口、４ｂ…前端開口、
５…レフィル、６…ペン先、
７…インキ収容筒、８…コイルスプリング、
９…摩擦部材、９ａ…外側面、９ｂ…係止凹部、９ｃ…孔部、
１０…ノック体、
１１…カム溝、１１ａ…カム斜面、１１ｂ…係合部、
１２…固定カム、１２ａ…凹凸部、１２ｂ…突起、
１２ｃ…開口部、１２ｄ…筒部、１２ｅ…係止凸部
１２ｆ…段部、
１３…回転カム、１３ａ…カム突起、１３ｂ…噛合部、
１３ｃ…突出部、１３１ｃ…大径部、１３２ｃ…小径部、
１３ｄ…カム斜面、
１４…カバー、１４ａ…下部、
１００…紙面、１０１…筆跡、
Ｓ…隙間。
【図１】
2018161899.tif 000003
【図２】
2018161899.tif 000004
【図３】
2018161899.tif 000005
【図４】
2018161899.tif 000006
【図５】
2018161899.tif 000007
【図６】
2018161899.tif 000008